(57)【要約】【課題】挿入損失の温度依存性および偏波依存性を低減した偏波保持光ファイバカプラを提供する。【解決手段】偏波保持光ファイバ１０の一部にシングルモード光ファイバ部を介在させ、シングルモード光ファイバ部を介して対向する偏波保持光ファイバ１０、１０の光軸が一致した複合光ファイバ２０、２０が並列され、シングルモード光ファイバ部が融着延伸されてなる融着延伸部が形成された偏波保持光ファイバカプラ３０。２本の複合光ファイバ２０のうち１本を、シングルモード光ファイバとする。シングルモード光ファイバ部のモードフィールド径と、偏波保持光ファイバ１０のモードフィールド径との差を２．０μｍ以下とし、シングルモード光ファイバ部と偏波保持光ファイバ１０との接続部の１箇所当りの接続損失を０．２ｄＢ以下とする。【選択図】　　　　図２
2004037645.tif 000002
【特許請求の範囲】
【請求項１】
２本の光ファイバが並列され、その長手方向の一部分が融着延伸されてなる融着延伸部が形成された偏波保持光ファイバカプラにおいて、
前記２本の光ファイバのうち少なくとも１本は、偏波保持光ファイバの一部にシングルモード光ファイバを介在させ、かつ、該シングルモード光ファイバを介して対向する偏波保持光ファイバの光軸が一致した複合光ファイバであり、
前記融着延伸部は、シングルモード光ファイバが融着延伸されてなることを特徴とする偏波保持光ファイバカプラ。
【請求項２】
請求項１記載の偏波保持光ファイバカプラにおいて、
前記２本の光ファイバのうち１本は、シングルモード光ファイバであることを特徴とする偏波保持光ファイバカプラ。
【請求項３】
請求項１または２記載の偏波保持光ファイバカプラにおいて、
前記偏波保持光ファイバの一部に介在させたシングルモード光ファイバのモードフィールド径と、該シングルモード光ファイバに接続される偏波保持光ファイバのモードフィールド径との差が２．０μｍ以下であり、かつ、前記シングルモード光ファイバと前記偏波保持光ファイバとの接続部の１箇所当りの接続損失が０．２ｄＢ以下であることを特徴とする偏波保持光ファイバカプラ。
【請求項４】
請求項１ないし３のいずれかに記載の偏波保持光ファイバカプラにおいて、
前記偏波保持光ファイバの一部に介在するシングルモード光ファイバの長さが５０ｍｍ以下であることを特徴とする偏波保持光ファイバカプラ。
【請求項５】
請求項１ないし４のいずれかに記載の偏波保持光ファイバカプラにおいて、
前記融着延伸部は、伝搬定数の異なる２本のシングルモード光ファイバが融着延伸されてなることを特徴とする偏波保持光ファイバカプラ。
【請求項６】
請求項１ないし５のいずれかに記載の偏波保持光ファイバカプラにおいて、
前記融着延伸部をなす２本のシングルモード光ファイバのうち少なくとも１本がエッチングされていることを特徴とする偏波保持光ファイバカプラ。
【請求項７】
請求項１ないし６のいずれかに記載の偏波保持光ファイバカプラにおいて、
前記融着延伸部以外の部分が、補強部材上に接着剤で固定されていることを特徴とする偏波保持光ファイバカプラ。
【発明の詳細な説明】
【０００１】
【発明の属する技術分野】
本発明は、偏波保持光ファイバカプラに関し、特に挿入損失の温度依存性の低減を図った偏波保持光ファイバカプラに関するものである。
【０００２】
【従来の技術】
偏波保持光ファイバは、種々のものが提案されているが、代表的なものとして、ＰＡＮＤＡ型光ファイバ（Ｐｏｌａｒｉｚａｔｉｏｎ　ｍａｉｎｔａｉｎｉｎｇ　ＡＮＤ　Ａｂｓｏｒｐｔｉｏｎ　ｒｅｄｕｃｉｎｇ　ｆｉｂｅｒ）が知られている。
図６は、ＰＡＮＤＡ型光ファイバの一例を示す断面図である。このＰＡＮＤＡ型光ファイバ１０は、中心に設けられたコア１１と、このコア１１の周囲に、このコア１１と同心円状に設けられ、かつこのコア１１よりも低屈折率のクラッド１２と、このクラッド１２内に、コア１１を中心に対称配置され、かつこのクラッド１２よりも低屈折率の断面円形の２つの応力付与部１３、１３とから構成されている。
【０００３】
応力付与部１３は、クラッド１２よりも大きな熱膨張係数を有している。そのため、光ファイバ母材を溶融、線引きして得られたＰＡＮＤＡ型光ファイバ１０が冷却される過程で、このＰＡＮＤＡ型光ファイバ１０の断面において応力付与部１３に起因する歪みを生じる。
そして、この歪みはコア１１に対して異方性歪みを発生させる。その結果、偏波の縮退が解け、ここで便宜上、光を構成する２つの直交する偏波をＸ偏波、Ｙ偏波とすると、Ｘ偏波の伝搬定数とＹ偏波の伝搬定数が異なる値となり、当然、これらの偏波の電磁界の分布も異なるものとなる。その結果、Ｘ偏波とＹ偏波が保存された状態で伝搬する特性が得られる。
【０００４】
このようなＰＡＮＤＡ型光ファイバ１０などの偏波保持光ファイバを用いて作製された光カプラが、偏波保持光ファイバカプラである。この偏波保持光ファイバカプラは、光ファイバセンサ、あるいはコヒーレント光通信用として有効な光学部品である。
図７は、従来の偏波保持光ファイバカプラの一例を示す斜視図である。この偏波保持光ファイバカプラ１５は、２本のＰＡＮＤＡ型光ファイバ１０、１０を必要に応じて、その表面に設けられたプラスチックなどからなる被覆層の一部を除去した後、各々の偏波軸が平行になるように整合させて並列させ、これらのＰＡＮＤＡ型光ファイバ１０、１０の途中のクラッド１２、１２を接触させ、加熱、溶融するとともに、その長さ方向に延伸することによって融着延伸部（光結合部）１４を形成したものである。なお、偏波軸とは、各々のＰＡＮＤＡ型光ファイバ１０において、応力付与部１３、１３の中心を通る直線をいう。
【０００５】
【発明が解決しようとする課題】
ＰＡＮＤＡ型光ファイバ１０内に生じる応力は、クラッド１２と応力付与部１３との熱膨張係数の差を利用しており、線引き後のＰＡＮＤＡ型光ファイバ１０を冷却する過程で応力付与部１３が大きく収縮することにより発生するものである。したがって、ＰＡＮＤＡ型光ファイバ１０内に生じる応力は、温度依存性を示すものとなる。よって、図７に示した従来の偏波保持光ファイバカプラは、融着延伸部１４がＰＡＮＤＡ型光ファイバ１０で形成されているため、環境温度の変化により、光学特性に若干の温度依存性があった。
【０００６】
シングルモード光ファイバカプラの温度依存性を低減するための方法としては、特開平１１−５２１４４号公報に、光ファイバカプラの光分岐結合部（融着延伸部）を保護ケースに収容し、接着剤で接着固定する補強方法が提案されている。しかしながら、偏波保持光ファイバカプラにおいて、偏波保持光ファイバの応力付与部に起因する温度依存性を、本質的に低減する方法については提案されていない。
また、従来の偏波保持光ファイバカプラは、ＰＡＮＤＡ型光ファイバの特性上、Ｘ偏波の伝搬定数とＹ偏波の伝搬定数が異なるため、Ｘ偏波の結合度とＹ偏波の結合度が異なり、片偏波でのみの動作しか実現できなかった。
【０００７】
本発明は、前記事情に鑑みてなされたもので、挿入損失の温度依存性および偏波依存性を低減した偏波保持光ファイバカプラを提供することを課題とする。
【０００８】
【課題を解決するための手段】
前記課題は、２本の光ファイバが並列され、その長手方向の一部分が融着延伸されてなる融着延伸部が形成された偏波保持光ファイバカプラにおいて、前記２本の光ファイバのうち少なくとも１本は、偏波保持光ファイバの一部にシングルモード光ファイバを介在させ、かつ、該シングルモード光ファイバを介して対向する偏波保持光ファイバの光軸が一致した複合光ファイバであり、前記融着延伸部は、シングルモード光ファイバが融着延伸されてなる偏波保持光ファイバカプラによって解決できる。
上記偏波保持光ファイバカプラにおいて、前記２本の光ファイバのうち１本は、シングルモード光ファイバであることが好ましい。
上記偏波保持光ファイバカプラにおいて、前記偏波保持光ファイバの一部に介在させたシングルモード光ファイバのモードフィールド径と、該シングルモード光ファイバに接続される偏波保持光ファイバのモードフィールド径との差が２．０μｍ以下であり、かつ、前記シングルモード光ファイバと前記偏波保持光ファイバとの接続部の１箇所当りの接続損失が０．２ｄＢ以下であることが好ましい。
上記偏波保持光ファイバカプラにおいて、前記偏波保持光ファイバの一部に介在するシングルモード光ファイバの長さが５０ｍｍ以下であることが好ましい。上記偏波保持光ファイバカプラにおいて、前記融着延伸部は、伝搬定数の異なる２本のシングルモード光ファイバが融着延伸されてなることが好ましい。
上記偏波保持光ファイバカプラにおいて、前記融着延伸部をなす２本のシングルモード光ファイバのうち少なくとも１本がエッチングされていることが好ましい。
上記偏波保持光ファイバカプラにおいて、前記融着延伸部以外の部分が、補強部材上に接着剤で固定されていることが好ましい。
【０００９】
【発明の実施の形態】
以下、本発明を詳しく説明する。
図１は、本発明の偏波保持光ファイバカプラの第１の実施形態を示す概略構成図である。この図では、説明のために便宜的に偏波保持光ファイバカプラを構成する２本の光ファイバを融着延伸せずに、並列に配した状態を示す。
図２は、偏波保持光ファイバカプラの第１の実施形態の製造方法を示す概略構成図である。
図１および図２中、符号１０は偏波保持光ファイバのＰＡＮＤＡ型光ファイバを示し、符号２１はシングルモード光ファイバからなるシングルモード光ファイバ部を示し、符号２０はＰＡＮＤＡ型光ファイバ１０の一部にシングルモード光ファイバ部２１を介在させた複合光ファイバを示している。
【００１０】
この実施形態の偏波保持光ファイバカプラ３０は、２本の複合光ファイバ２０、２０が並列され、その長手方向の一部分、すなわちシングルモード光ファイバ部２１、２１が融着延伸されてなる融着延伸部２３が形成されたものである。
複合光ファイバ２０は、シングルモード光ファイバ部２１が、２つのＰＡＮＤＡ型光ファイバ１０、１０に挟み込まれて、両者が融着接続されているものである。また、複合光ファイバ２０では、シングルモード光ファイバ部２１を介して対向するＰＡＮＤＡ型光ファイバ１０、１０の光軸が、一致するように接続されている。
【００１１】
ＰＡＮＤＡ型光ファイバ１０は、中心に設けられたコア１１と、このコア１１の周囲に、このコア１１と同心円状に設けられ、かつこのコア１１よりも低屈折率のクラッド１２と、このクラッド１２内に、コア１１を中心に対称配置され、かつこのクラッド１２よりも低屈折率の断面円形の２つの応力付与部１３、１３とから構成されている。
シングルモード光ファイバ部２１は、中心に設けられたコア（図示略）と、このコアの周囲に、このコアと同心円状に設けられ、かつこのコアよりも低屈折率のクラッド（図示略）とから構成されている。
【００１２】
ここで、ＰＡＮＤＡ型光ファイバ１０のモードフィールド径と、シングルモード光ファイバ部２１のモードフィールド径との差は２．０μｍ以下、かつ、ＰＡＮＤＡ型光ファイバ１０とシングルモード光ファイバ部２１との接続部の１箇所当りの接続損失が０．２ｄＢ以下であることが好ましく、より好ましくはモードフィールド径の差は１．０μｍ以下、接続部の１箇所当りの接続損失は０．１ｄＢ以下である。
ＰＡＮＤＡ型光ファイバ１０のモードフィールド径と、シングルモード光ファイバ部２１のモードフィールド径との差が２．０μｍを超えて大きい場合や、コアの偏心が大きいＰＡＮＤＡ型光ファイバ１０および／またはシングルモード光ファイバ部２１を用いると、両者の接続損失が大きくなり、偏波保持光ファイバカプラ３０の挿入損失の原因となるので好ましくない。
また、ＰＡＮＤＡ型光ファイバ１０とシングルモード光ファイバ部２１との接続部の１箇所当りの接続損失が０．２ｄＢを超えると、複合光ファイバ２０では両者の接続部が２箇所存在するから、複合光ファイバ２０の接続損失は０．４ｄＢを超えてしまう。これに加えて、偏波保持光ファイバ３０の融着延伸部２３における過剰損失を考慮すると、従来の偏波保持光ファイバカプラと比較しても、挿入損失が大きくなってしまう。
【００１３】
また、複合光ファイバ２０では、偏波保持光ファイバ１０の一部に介在するシングルモード光ファイバ部２１の長さは５０ｍｍ以下であることが好ましく、より好ましくは２０ｍｍ以下である。
シングルモード光ファイバ部２１の部分が５０ｍｍを超えて長くなると、複合光ファイバ２０の偏波クロストークの値が大きくなり、偏波保持特性が劣化する。さらに、シングルモード光ファイバ部２１の部分が長くなると、偏波保持光ファイバカプラ３０の大きさが大きくなってしまう。
ここで、偏波クロストークとは、偏波保持特性を示す特性指標であり、入射端で一方の主軸方向に偏波した直線偏波の光を励振したときに、出射端でどの程度直交偏波モードにパワー変換が生じるかを表し、両モードの比をとってｄＢ表示されるものである。
【００１４】
この実施形態の偏波保持光ファイバカプラ３０では、融着延伸部２３が、伝搬定数の異なる２本のシングルモード光ファイバ部２１、２１が融着延伸されて形成されていることが好ましい。このように伝搬定数の異なる２本のシングルモード光ファイバ部２１、２１を用いて、融着延伸部２３、すなわち光結合部を形成すれば、所定の波長帯域において、分岐比がほぼ平坦となる偏波保持光ファイバカプラ３０を得ることができる。
【００１５】
また、この実施形態の偏波保持光ファイバカプラ３０では、融着延伸部２３をなす２本のシングルモード光ファイバ部２１、２１のうち少なくとも１本がエッチングされていることが好ましい。シングルモード光ファイバ部２１をエッチングする方法は、石英ガラスを腐食させるフッ酸などのエッチング液が好適に使用される。また、フッ素ガスなどの石英ガラス腐食性ガスを含むバーナ炎でエッチングすべき部分を乾式エッチングする方法もある。
このように、融着延伸部２３、すなわち光結合部を形成するシングルモード光ファイバ部２１にエッチング処理を施すことにより、延伸した後の２本の光ファイバの伝搬定数に差をつけることができるようになり、波長依存性が小さく、所定の波長帯域において、分岐比がほぼ平坦となる偏波保持光ファイバカプラ３０を得ることができる。
【００１６】
さらに、この実施形態の偏波保持光ファイバカプラ３０を補強する方法としては、この偏波保持光ファイバカプラ３０の融着延伸部２３以外の部分、すなわち、偏波保持光ファイバ１０を、石英ガラスなどからなる補強部材（基板など）上に接着剤で固定する方法が用いられる。
偏波保持光ファイバカプラ３０を補強部材上に接着剤で固定する際に、シングルモード光ファイバ部２１からなる融着延伸部２３を接着剤で覆うと、偏波クロストークの値が大きくなり、偏波保持特性が劣化する。したがって、偏波保持光ファイバ１０を補強部材上に接着剤で固定することが好ましい。
ここで、具体例を示すと、偏波保持光ファイバ１０のみを接着剤で覆った偏波保持光ファイバカプラ３０では、偏波クロストークの平均値が−２７．０ｄＢであったのに対し、シングルモード光ファイバ部２１まで接着剤で覆った偏波保持光ファイバカプラ３０では、偏波クロストークの平均値が−１９．１ｄＢであった。
【００１７】
この実施形態の偏波保持光ファイバカプラ３０にあっては、融着延伸部２３を２本のシングルモード光ファイバ部２１、２１で形成することによって、ＰＡＮＤＡ型光ファイバ１０などの偏波保持光ファイバに起因する挿入損失の温度依存性や偏波依存性を限りなく小さくすることができる。また、複合光ファイバ２０を構成する偏波保持光ファイバ１０、１０はあらかじめ光軸が一致されており、融着延伸部２３が偏波依存性の無い２本のシングルモード光ファイバ部２１、２１で形成されているから、シングルモード光ファイバ部２１、２１を融着延伸する前に、偏波軸の調整が不要であり、通常のシングルモード光ファイバカプラと同様に、短時間での融着延伸が可能となる。したがって、製造コストを増大することもない。
【００１８】
次に、図２を参照して、この実施形態の偏波保持光ファイバカプラの製造方法を示す。
この実施形態の偏波保持光ファイバカプラを製造するには、まず、ＰＡＮＤＡ型光ファイバ１０、１０でシングルモード光ファイバ部２１を挟持し、これらを接続して複合光ファイバ２０を作製する。このとき、シングルモード光ファイバ部２１を介して対向するＰＡＮＤＡ型光ファイバ１０、１０の光軸が同一軸線上となるように精密に調整し、両者の偏波軸を一致させる。次いで、２本の複合光ファイバ２０のシングルモード光ファイバ部２１の表面に設けられたプラスチックなどからなる被覆層の一部を必要に応じて除去する。次いで、複合光ファイバ２０、２０を、これらの偏波軸が平行になるように精密に調整して並列させた後、シングルモード光ファイバ部２１、２１を接触させ、これらを加熱、溶融するとともに、その長手方向に延伸することによって融着延伸部（光結合部）２３を形成し、偏波保持光ファイバカプラを得る。
【００１９】
図３は、本発明の偏波保持光ファイバカプラの第２の実施形態を示す概略構成図である。この図では、説明のために便宜的に偏波保持光ファイバカプラを構成する２本の光ファイバを融着延伸せずに、並列に配した状態を示す。図中、上述の第１の実施形態と同じ構成要素には同一符号を付し、説明を省略する。
この実施形態の偏波保持光ファイバカプラ４０は、複合光ファイバ２０とシングルモード光ファイバ部２１が並列され、その長手方向の一部分、すなわちシングルモード光ファイバ部２１とシングルモード光ファイバ部２１が融着延伸されてなる融着延伸部２８が形成されたものである。
シングルモード光ファイバ部２１は、中心に設けられたコア２５と、このコア２５の周囲に、このコア２５と同心円状に設けられ、かつこのコア２５よりも低屈折率のクラッド２６とから構成されている。
【００２０】
この実施形態の偏波保持光ファイバカプラ４０にあっては、融着延伸部２８がシングルモード光ファイバ部２１とシングルモード光ファイバ部２１で形成されているから、上述の第１の実施形態と同様に、温度依存性や偏波依存性を限りなく小さくすることができる。また、融着延伸部２８を、偏波依存性の無いシングルモード光ファイバ部２１とシングルモード光ファイバ部２１で形成するから、シングルモード光ファイバ部２１とシングルモード光ファイバ部２１を融着延伸する前に、偏波軸の調整が不要であり、通常のシングルモード光ファイバカプラと同様に、短時間での融着延伸が可能となる。
また、この実施形態の偏波保持光ファイバカプラ４０では、高価なＰＡＮＤＡ型光ファイバ１０の使用量を半分にすることができるから、製造コストを削減することができる。
なお、信号光や光源のモニタ用として用いられる光ファイバカプラの場合、出射ポートから出射されるモニタ光は偏波状態に影響されないので、この実施形態の偏波保持光ファイバカプラ４０のように、シングルモード光ファイバ部２１を分岐光の出射ポートに用いてもよい。
【００２１】
また、この実施形態の偏波保持光ファイバカプラ４０においても、融着延伸部２８が、伝搬定数の異なるシングルモード光ファイバ部２１とシングルモード光ファイバ部２１が融着延伸されて形成されていることが好ましい。このようにすれば、所定の波長帯域において、分岐比がほぼ平坦となる偏波保持光ファイバカプラ４０を得ることができる。
さらに、この実施形態の偏波保持光ファイバカプラ４０においても、融着延伸部２８をなすシングルモード光ファイバ部２１とシングルモード光ファイバ部２１のうち少なくとも１方がエッチングされていることが好ましい。このようにすれば、波長依存性が小さく、所定の波長帯域において、分岐比がほぼ平坦となる偏波保持光ファイバカプラ４０を得ることができる。
【００２２】
この実施形態の偏波保持光ファイバカプラ４０を補強する方法としては、この偏波保持光ファイバカプラ４０の融着延伸部２８以外の部分、すなわち、シングルモード光ファイバ部２１の融着延伸部以外の部分を、石英ガラスなどからなる補強部材（基板など）上に接着剤で固定する方法が用いられる。このようにすれば、偏波クロストークの値が小さくなり、偏波保持特性が劣化することを防止することができる。
【００２３】
また、この実施形態の偏波保持光ファイバカプラ４０は、上述の第１の実施形態の偏波保持光ファイバカプラ３０と同様な方法で製造することができる。
【００２４】
以下、図１および図２を用いて、具体的な実験例を示して本発明の効果を明らかにする。
（実験例１）
偏波保持光ファイバカプラ３０の一例として、１５５０ｎｍ帯５０％偏波保持光ファイバカプラを用いて、挿入損失の温度依存性および偏波依存性を調査した。結果を図４に示す。
図４は、ｓｌｏｗ偏波軸入射時の挿入損失を示しており、白抜きの点はクロスポート（１つの入射ポートから入射した光が他の光ファイバに結合するポート）の挿入損失で、黒抜きの点はスルーポート（１つの入射ポートから入射した光が他の光ファイバに結合しないポート）の挿入損失である。
図４の結果から、この実施形態の偏波保持光ファイバカプラ３０の挿入損失の温度依存性は、０〜７０℃の範囲で０．０５ｄＢ以下と、十分に小さいことが分かった。また、融着延伸部を２本のシングルモード光ファイバ部２１で形成しているので、ｓｌｏｗ偏波軸入射時においても、ｆａｓｔ偏波軸入射時においても、その光学特性には差異はなく、Ｘ偏波とＹ偏波の両偏波で動作が可能であると言える。
また、図４の結果から、この実施形態の偏波保持光ファイバカプラ３０は、５０％偏波保持光ファイバカプラのように、１つの入射ポートから入射した光を２つの出射ポートに分波し、２つの出射ポートから出射される光の両方に偏波保持特性が要求される場合に適したものであることが分かった。
【００２５】
（実験例２）
次に、シングルモード光ファイバ部２１の長さを変えて、複数種類の偏波保持光ファイバカプラ３０を試作した。
各偏波保持光ファイバカプラ３０の偏波クロストークを測定した結果を図５に示す。
図５から、シングルモード光ファイバ部２１が長いと、偏波クロストークの値が大きくなり、偏波保持特性が劣化することが分かった。
【００２６】
【発明の効果】
以上説明したように、本発明によれば、挿入損失などの光学特性の温度依存性や偏波依存性が非常に小さく、Ｘ偏波およびＹ偏波の両偏波で動作可能な偏波保持光ファイバカプラを得ることができる。また、このような偏波保持光ファイバカプラを光通信システムなどに適用すれば、システム全体の安定性を向上することができる。さらに、本発明の偏波保持光ファイバカプラの基本的な製法は、従来のシングルモード光ファイバカプラと同様なので、生産性に優れている上に、高い信頼性も有している。そして、本発明の偏波保持光ファイバカプラを構成する光ファイバの一方を、安価なシングルモード光ファイバとすることができるから、低価格化を図ることもできる。
【図面の簡単な説明】
【図１】本発明の偏波保持光ファイバカプラの第１の実施形態を示す概略構成図である。
【図２】偏波保持光ファイバカプラの第１の実施形態の製造方法を示す概略構成図である。
【図３】本発明の偏波保持光ファイバカプラの第２の実施形態を示す概略構成図である。
【図４】本発明の偏波保持光ファイバカプラの一例として、１５５０ｎｍ帯５０％偏波保持光ファイバカプラを用いて、挿入損失の温度依存性および偏波依存性を調査した結果を示すグラフである。
【図５】シングルモード光ファイバの長さを変えて作製した偏波保持光ファイバカプラの偏波クロストークを測定した結果を示すグラフである。
【図６】ＰＡＮＤＡ型光ファイバの一例を示す断面図である。
【図７】従来の偏波保持光ファイバカプラの一例を示す斜視図である。
【符号の説明】
１０・・・ＰＡＮＤＡ型光ファイバ、２０・・・複合光ファイバ、２１・・・シングルモード光ファイバ部、２３，２８・・・融着延伸部、３０，４０・・・偏波保持光ファイバカプラ
【図１】
2004037645.tif 000003
【図２】
2004037645.tif 000004
【図３】
2004037645.tif 000005
【図４】
2004037645.tif 000006
【図５】
2004037645.tif 000007
【図６】
2004037645.tif 000008
【図７】
2004037645.tif 000009